(57)【要約】      （修正有）【課題】複数画面の各APLによって画面全体の輝度調整を行うことで、低消費電力を実現するマルチ画面表示装置における画像調整方法を提供する。【解決手段】それぞれの外部機器より画像データと該画像データにおける平均輝度レベル情報を受信し、受信した画像データをスケーリングして画面配置を行って保存し、受信した平均輝度レベル情報を保存し、受信している全ての画像データに対する全ての平均輝度レベル情報との比較に基づいて前記マルチ画面表示装置で表示される全画面の輝度レベルを調整し、保存された複数の画像データを調整された輝度レベルで表示する。【選択図】図２
2012177722.tif 000002
【特許請求の範囲】
【請求項１】
複数の外部機器の画面表示を行うマルチ画面表示装置における画像調整方法であって、
それぞれの外部機器より画像データと該画像データにおける平均輝度レベル情報を受信し、
受信した画像データをスケーリングして画面配置を行って保存し、
受信した平均輝度レベル情報を保存し、受信している全ての画像データに対する全ての平均輝度レベル情報との比較に基づいて前記マルチ画面表示装置で表示される全画面の輝度レベルを調整し、
保存された複数の画像データを調整された輝度レベルで表示することを特徴としたマルチ画面表示装置における画像調整方法。
【請求項２】
請求項１に記載のマルチ画面表示装置における画像調整方法であって、
前記平均輝度レベル情報との比較により、最小の平均輝度レベルを算出して全画面の輝度レベルを調整することを特徴としたマルチ画面表示装置における画像調整方法。
【請求項３】
請求項１に記載のマルチ画面表示装置における画像調整方法であって、
前記平均輝度レベル情報との比較により、各平均輝度レベルの重み付き平均値を算出して全画面の輝度レベルを調整することを特徴としたマルチ画面表示装置における画像調整方法。
【請求項４】
請求項１ないし請求項３のいずれかに記載のマルチ画面表示装置における画像調整方法であって、
平均輝度レベル情報が受信できなかった場合、保存されている前回受信した平均輝度レベル情報を用いて前記マルチ画面表示装置で表示される全画面の輝度レベルを調整することを特徴としたマルチ画面表示装置における画像調整方法。
【請求項５】
複数の外部機器の画面表示を行うマルチ画面表示装置における画像調整方法であって、
それぞれの外部機器より画像データを受信し、
受信した画像データをスケーリングして画面配置を行って保存し、
受信した画像データから、平均輝度レベルを計算し、
計算した平均輝度レベル情報を保存し、受信している全ての画像データに対する全ての平均輝度レベル情報との比較に基づいて前記マルチ画面表示装置で表示される全画面の輝度レベルを調整し、
保存された複数の画像データを調整された輝度レベルで表示することを特徴としたマルチ画面表示装置における画像調整方法。
【請求項６】
請求項５に記載のマルチ画面表示装置における画像調整方法であって、
前記平均輝度レベル情報との比較により、最小の平均輝度レベルを算出して全画面の輝度レベルを調整することを特徴としたマルチ画面表示装置における画像調整方法。
【請求項７】
請求項５に記載のマルチ画面表示装置における画像調整方法であって、
前記平均輝度レベル情報との比較により、各平均輝度レベルの重み付き平均値を算出して全画面の輝度レベルを調整することを特徴としたマルチ画面表示装置における画像調整方法。
【請求項８】
請求項５ないし請求項７のいずれかに記載のマルチ画面表示装置における画像調整方法であって、
画像データが受信できなかった場合、保存されている前回受信した画像データに対する平均輝度レベル情報を用いて前記マルチ画面表示装置で表示される全画面の輝度レベルを調整することを特徴としたマルチ画面表示装置における画像調整方法。
【請求項９】
請求項１ないし請求項８のいずれかに記載のマルチ画面表示装置における画像調整方法であって、
前回に表示された全画面の輝度レベルとの差が一定値以上の場合、全画面の輝度レベルを段階的に調整することを特徴としたマルチ画面表示装置における画像調整方法。
【発明の詳細な説明】
【技術分野】
【０００１】
本発明は、一つの画像表示装置にて複数の画面表示を行うマルチ画面表示装置における画像調整方法に関し、特に、表示画面の輝度を調整して低消費電力を実現するマルチ画面表示装置における画像調整方法に関する。
【背景技術】
【０００２】
従来、画像表示装置を複数組み合わせて同一平面上に密着して配置することにより、全体を１つの画面のように大画面で見せたり、それぞれの画像表示装置に異なる画像を見せたりするマルチ画面表示装置が講演会やイベント会場、監視システムのディスプレイ等として用いられている。
【０００３】
また、複数の画像表示装置を設置するようなスペースがない場合や、コスト的に複数台設置できない場合は、一つの画像表示装置にて画面を分割し、複数の画面表示を行うことで、マルチ画面表示装置を実現している。
【０００４】
このようなマルチ画面表示装置では、大画面ディスプレイであるプラズマディスプレイパネル(PDP)、液晶ディスプレイ(LCD)や投写型ディスプレイ(プロジェクタ)等が画像表示装置として用いられている。
【０００５】
このような画像表示装置では、消費電力の増加を抑えることが課題となっており、様々な手法が提案されている。それらの手法における一つの手法として画面の平均輝度レベル(APL：Average Picture Level)により輝度調整を行うものがある。光源を持つディスプレイでは一般的に輝度が高い画面は光源の発光強度を強くすることで高輝度を実現するが、これは消費電力を多く必要とするものであり、APLを用いることで画面全体の輝度調整を行い、できるだけ輝度を低くし、光源の発光強度を弱くして消費電力を下げるというものである。
【０００６】
このような画像表示装置におけるAPLを用いた消費電力の増加を抑える従来手法としては、例えば特許文献１に開示された手法がある。特許文献１は、表示画面における領域別の平均輝度レベルを検出し、領域別平均輝度レベルを入力映像の輝度レベルに基づきシェーディング処理を領域毎に制御することで、消費電力を増大させることなく画面中央部の輝度を上げてコントラストが良い高品位な映像を実現するというものである。
【０００７】
また、複数台の画像表示装置によるマルチ画面表示におけるAPLを用いた従来手法としては、例えば特許文献２に開示された手法がある。特許文献２は、複数台の画像表示装置と制御装置から構成され、あらかじめ輝度の目標値を設定しておき、制御装置が各画像表示装置の輝度を定期的に監視し、各画像表示装置の輝度が目標値を達成できない場合に、新たな目標値を制御装置が設定して輝度調整を行うというものである。
【先行技術文献】
【特許文献】
【０００８】
【特許文献１】特開２０１０−１６９９０２号公報
【特許文献２】特開２００８−１５１８３８号公報
【発明の概要】
【発明が解決しようとする課題】
【０００９】
背景技術で記載した従来の手法は、一つの画像表示装置にて複数の画面表示を行うマルチ画面表示装置に対応していないといった課題がある。例えば、特許文献１では、表示画面を分割し、分割領域毎に制御しているが、画面中央部の輝度を上げることになるので、複数の画面表示を行うマルチ画面表示には向いていない。
【００１０】
さらに、特許文献２に記載の従来手法では、複数台の画像表示装置によるマルチ画面表示に対応したものであり、一つの画像表示装置にて複数の画面表示を行うマルチ画面表示には対応していない。
【００１１】
本発明は、上記の問題点を解消するためになされたものであり、複数画面の各APLによって画面全体の輝度調整を行うことで、低消費電力を実現するマルチ画面表示装置における画像調整方法を提供することを課題とする。
【課題を解決するための手段】
【００１２】
上記課題は、その一例として特許請求の範囲に記載の構成により達成できる。
【発明の効果】
【００１３】
本発明によれば、複数画面の各APLによって画面全体の輝度調整を行うことで、低消費電力を実現するマルチ画面表示装置における画像調整方法を提供することができる。
【図面の簡単な説明】
【００１４】
【図１】マルチ画面表示装置における概略構成を示す図である。
【図２】マルチ画面表示装置のブロック図である。
【図３】マルチ画面表示装置のブロック図である。
【図４】輝度調整を行い画面表示する処理手順を示すフロー図である。
【図５】輝度調整を行い画面表示する処理手順を示すフロー図である。
【図６】APLを含めた送信データフォーマットである。
【図７】輝度調整を行い画面表示する処理手順を示すフロー図である。
【図８】輝度調整を行い画面表示する処理手順を示すフロー図である。
【発明を実施するための形態】
【実施例１】
【００１５】
本実施例は本発明のマルチ画面表示装置における画像調整方法の１実施例である。以下、本実施例を図１と図２と図４、及び図６を用いて説明する。
【００１６】
図１は本発明のマルチ画面表示装置における概略構成を示す図であり、図２は本実施例におけるマルチ画面表示装置のブロック図であり、図４は本実施例における輝度調整を行い画面表示する処理手順を示すフロー図であり、図６は本実施例におけるAPLを含めた送信データフォーマットである。
【００１７】
図１において、１００は本発明における画像表示装置であり、１０１から１０４はそれぞれネットワークで接続されたPCであり、１０５から１０８はそれぞれネットワークで接続されたPC１０１、PC１０２、PC１０３、PC１０４の画面である。
【００１８】
ここで図１を用いて本発明の概略を説明する。４台のPC（PC１０１、PC１０２、PC１０３、PC１０４）が画像表示装置１００とネットワークで接続されており、これら４台のPC画面を画像表示装置１００にて一つのスクリーン上に４分割して表示する（PC画面１０５、PC画面１０６、PC画面１０７、PC画面１０８）。
【００１９】
なお、本実施例では、画像表示装置１００としてプロジェクタの場合を例にしているが、プロジェクタに限定されるものではなく、PDPなどその他の画像表示装置であってもよい。
【００２０】
まず、各PCは自身のPC画面を静止画として画像表示装置１００にネットワークを介して送信する。この際、同時にPC画面の静止画における平均輝度レベル（APL）を計算し、該APLも画像表示装置１００にネットワークを介して送信する。画像表示装置１００は、前記PCからネットワーク経由で前記PC画像（静止画）データとAPLデータを受信し、保存する。４台分の画像データとAPLデータを受信完了すると、各APLデータを比較し、最小値のAPLに合わせて輝度（発光強度）調整を行い、それぞれのPC画面の画像データを合成して画面に表示する。なお、どのPC画面をどこに配置するのかは、画像表示装置１００側で予め設定しておいても良いし、各PC側で予め設定しておいても良い。また、ネットワークを介して受信した画像データ及びAPLデータの識別は、各PCのIPアドレスによって識別すればよい。
【００２１】
図２は本実施例におけるマルチ画面表示を行う画像表示装置１００のブロック図である。２０１はネットワークを介して外部機器から画像データ及びAPLデータを受信するデータ受信部であり、２０２は前記データ受信部２０１で受信したデータを解析し画像データとAPLデータを分離するデータ解析部であり、２０３は前記データ解析部２０２で分離した画像データに対して、スケーリング、画面配置、画像合成を行う画像処理部であり、２０４は前記画像処理部２０３で処理した画像データを保存する画像データ保存部であり、２０５は前記データ解析部２０２で分離したAPLデータを保存するAPLデータ保存部であり、２０６は前記APLデータ保存部２０５に保存された各APLを比較するAPL比較部であり、２０７は前記APL比較部２０６での比較で算出された最小のAPLに合わせて輝度（発光強度）調整を行う輝度調整部であり、２０８は画像を画面として表示する画面表示部（投写部）である。
【００２２】
以下、本実施例における輝度調整を行い画面表示する処理手順の詳細を図４のフロー図を用いて説明する。
【００２３】
図４は、画像表示装置１００における輝度調整及び画面表示する処理手順を示すフロー図である。なお、ここではPC画面１０５からPC画面１０８におけるAPLの値をそれぞれ２０、５０、１０、３０であった場合で説明する。また、PC１０１、PC１０２、PC１０３、PC１０４のIPアドレスをそれぞれ、192.168.0.101、192.168.0.102、192.168.0.103、192.168.0.104とする。ここでは簡単のため、PC１０１、PC１０２、PC１０３、PC１０４の順にデータが送信されてくるとする。
【００２４】
まず、前記データ受信部２０１にてネットワークを介して外部機器であるPC１０１から画像データ及びAPLデータを受信する（ステップＳ４０１）。ステップＳ４０１で受信したデータを前記データ解析部２０２で解析し画像データとAPLデータに分離する（ステップＳ４０２）。ステップＳ４０２で分離したデータのうち次に処理するデータが画像データかどうかを判断し（ステップＳ４０３）、画像データであった場合、前記画像処理部２０３で画像データを１／４にスケーリングする（ステップＳ４０４）。その後、前記画像処理部２０３で、どのPCからの画像データなのかを送信元のIPアドレスから判断し、ステップＳ４０４でスケーリングした画像データを予め設定された場所に画面配置する（ステップＳ４０５）（ここでは図１のように画面左上）。その後、前記画像データ保存部２０４で画像データを保存する（ステップＳ４０６）。その後、前記画像処理部２０３にて前記画像データ保存部２０４に保存された各PC画面の画像データを合成する（ステップＳ４０７）が、ここではまだ、PC１０１のPC画面１０５しかない。ステップＳ４０３で、次に処理するデータが画像データでない場合、すなわち、APLデータの場合、前記APLデータ保存部２０５にて該APLデータをどのPC画面の画像データに対するAPLなのかが分かるように、送信元のIPアドレスと合わせて保存する（ステップＳ４０８）（ここでは192.168.0.101とAPL=20）。その後、ステップＳ４０８で保存した各APLを前記APL比較部２０６にて比較し、最小のAPLを算出する（ステップＳ４０９）。
【００２５】
なお、ここではまだ、PC画面１０５のAPLデータしかないので、APL=20が最小値になる。その後、ステップＳ４０９で比較算出した最小のAPL（ここではAPL=20）に合わせて輝度（発光強度）を前記輝度調整部２０７にて行う（ステップＳ４１０）。ステップＳ４０７で合成した画面画像を、ステップＳ４１０で調整された輝度で、前記画面表示部２０８から画面表示し（ステップＳ４１１）、一連の処理を終了する。なお、どのAPLの値に対して発光強度をどのくらいにするのかは予め決めておくが、もちろん、APLの値が低いほど発光強度は低くする必要がある。
【００２６】
次に、前記PC１０２からデータ受信をした場合の処理手順を説明する。同じく図４に示した処理手順で実行する。前記データ受信部２０１にてネットワークを介して外部機器であるPC１０２から画像データ及びAPLデータを受信する（ステップＳ４０１）。ステップＳ４０１で受信したデータを前記データ解析部２０２で解析し画像データとAPLデータに分離する（ステップＳ４０２）。ステップＳ４０２で分離したデータのうち次に処理するデータが画像データかどうかを判断し（ステップＳ４０３）、画像データであった場合、前記画像処理部２０３で画像データを１／４にスケーリングする（ステップＳ４０４）。その後、前記画像処理部２０３で、どのPCからの画像データなのかを送信元のIPアドレスから判断し、ステップＳ４０４でスケーリングした画像データを予め設定された場所に画面配置する（ステップＳ４０５）（ここでは図１のように画面右上）。その後、前記画像データ保存部２０４で画像データを保存する（ステップＳ４０６）。その後、前記画像処理部２０３にて前記画像データ保存部２０４に保存されたPC画面１０５とPC画面１０６の画像データを合成する（ステップＳ４０７）。ステップＳ４０３で、次に処理するデータが画像データでない場合、すなわち、APLデータの場合、前記APLデータ保存部２０５にて該APLデータをどのPC画面の画像データに対するAPLなのかが分かるように、送信元のIPアドレスと合わせて保存する（ステップＳ４０８）（ここでは192.168.0.102とAPL=50）。その後、ステップＳ４０８で保存したPC画面１０５のAPLを前記APL比較部２０６にて比較し、最小のAPLを算出する（ステップＳ４０９）。PC画面１０５のAPL=20で、PC画面１０６のAPL=50なので、APL=20が最小値になる。その後、ステップＳ４０９で比較算出した最小のAPL（ここではAPL=20）に合わせて輝度（発光強度）を前記輝度調整部２０７にて行う（ステップＳ４１０）。ステップＳ４０７で合成した画面画像を、ステップＳ４１０で調整された輝度で、前記画面表示部２０８から画面表示し（ステップＳ４１１）、一連の処理を終了する。
【００２７】
続いて、前記PC１０３からデータ受信をした場合の処理手順を説明する。同じく図４に示した処理手順で実行する。前記データ受信部２０１にてネットワークを介して外部機器であるPC１０３から画像データ及びAPLデータを受信する（ステップＳ４０１）。ステップＳ４０１で受信したデータを前記データ解析部２０２で解析し画像データとAPLデータに分離する（ステップＳ４０２）。ステップＳ４０２で分離したデータのうち次に処理するデータが画像データかどうかを判断し（ステップＳ４０３）、画像データであった場合、前記画像処理部２０３で画像データを１／４にスケーリングする（ステップＳ４０４）。その後、前記画像処理部２０３で、どのPCからの画像データなのかを送信元のIPアドレスから判断し、ステップＳ４０４でスケーリングした画像データを予め設定された場所に画面配置する（ステップＳ４０５）（ここでは図１のように画面左下）。その後、前記画像データ保存部２０４で画像データを保存する（ステップＳ４０６）。その後、前記画像処理部２０３にて前記画像データ保存部２０４に保存されたPC画面１０５とPC画面１０６及びPC画面１０７の画像データを合成する（ステップＳ４０７）。ステップＳ４０３で、次に処理するデータが画像データでない場合、すなわち、APLデータの場合、前記APLデータ保存部２０５にて該APLデータをどのPC画面の画像データに対するAPLなのかが分かるように、送信元のIPアドレスと合わせて保存する（ステップＳ４０８）（ここでは192.168.0.103とAPL=10）。その後、ステップＳ４０８で保存したPC画面１０７のAPLを前記APL比較部２０６にて比較し、最小のAPLを算出する（ステップＳ４０９）。PC画面１０５のAPL=20で、PC画面１０６のAPL=50、PC画面１０７のAPL=10なので、APL=10が最小値になる。その後、ステップＳ４０９で比較算出した最小のAPL（ここではAPL=10）に合わせて輝度（発光強度）を前記輝度調整部２０７にて行う（ステップＳ４１０）。ステップＳ４０７で合成した画面画像を、ステップＳ４１０で調整された輝度で、前記画面表示部２０８から画面表示し（ステップＳ４１１）、一連の処理を終了する。
【００２８】
続いて、前記PC１０４からデータ受信をした場合の処理手順を説明する。同じく図４に示した処理手順で実行する。前記データ受信部２０１にてネットワークを介して外部機器であるPC１０４から画像データ及びAPLデータを受信する（ステップＳ４０１）。ステップＳ４０１で受信したデータを前記データ解析部２０２で解析し画像データとAPLデータに分離する（ステップＳ４０２）。ステップＳ４０２で分離したデータのうち次に処理するデータが画像データかどうかを判断し（ステップＳ４０３）、画像データであった場合、前記画像処理部２０３で画像データを１／４にスケーリングする（ステップＳ４０４）。その後、前記画像処理部２０３で、どのPCからの画像データなのかを送信元のIPアドレスから判断し、ステップＳ４０４でスケーリングした画像データを予め設定された場所に画面配置する（ステップＳ４０５）（ここでは図１のように画面右下）。その後、前記画像データ保存部２０４で画像データを保存する（ステップＳ４０６）。その後、前記画像処理部２０３にて前記画像データ保存部２０４に保存されたPC画面１０５とPC画面１０６、PC画面１０７及びPC画面１０８の画像データを合成する（ステップＳ４０７）。ステップＳ４０３で、次に処理するデータが画像データでない場合、すなわち、APLデータの場合、前記APLデータ保存部２０５にて該APLデータをどのPC画面の画像データに対するAPLなのかが分かるように、送信元のIPアドレスと合わせて保存する（ステップＳ４０８）（ここでは192.168.0.104とAPL=30）。その後、ステップＳ４０８で保存したPC画面１０８のAPLを前記APL比較部２０６にて比較し、最小のAPLを算出する（ステップＳ４０９）。PC画面１０５のAPL=20で、PC画面１０６のAPL=50、PC画面１０７のAPL=10、PC画面１０８のAPL=30なので、APL=10が最小値になる。その後、ステップＳ４０９で比較算出した最小のAPL（ここではAPL=10）に合わせて輝度（発光強度）を前記輝度調整部２０７にて行う（ステップＳ４１０）。なお、最小のAPLから発光強度の調整を行う方法としては、一例として、APLの値100が最高発光強度とし、その相対値から強度調整を行う。ステップＳ４０７で合成した画面画像を、ステップＳ４１０で調整された輝度で、前記画面表示部２０８から画面表示し（ステップＳ４１１）、一連の処理を終了する。なお、ステップＳ４１１において、本実施例では、最小のAPL=10に合わせて輝度（発光強度）の調整を行うので、最高発光強度の1/10の発光強度で光源を発光させて画面全体の輝度（発光強度）調整を行うことになる。
【００２９】
図６は本実施例におけるAPLを含めた送信データフォーマットであり、前記ステップＳ４０２において受信したデータを前記データ解析部２０２で解析し画像データとAPLデータに分離する際に利用する。６０１は画像データフォーマット部分であり、JPEGやPNGなどの各種画像データフォーマットが入る。６０２はAPLデータのヘッダ部分に相当し、続くデータがAPLであることを示すマジックコードである。例えば、アスキーコードで0x41, 0x50, 0x4C (APL)の3バイトとする。６０３は、APLデータのヘッダ部分の一部に相当し、続くAPLデータの長さを格納するLengthである。６０４はAPLデータ自身である。ステップＳ４０２においては、画像データフォーマット６０１の後にマジックコード６０２があるかを判断し、画像データとAPLデータを分離する。
【００３０】
なお、何らかの原因でAPLデータが受信できなかった場合、APLデータの再送を要求しても良いし、前記APLデータ保存部２０５に前回受信したAPLデータが残っている場合は、該APLデータを利用しても良い。これにより、APLデータが受信できなかった場合でも、処理を行うことができる。
【００３１】
上記処理により、複数画面の各APLによって画面全体の輝度（発光強度）調整を行うことで、画面全体の明るさを抑えることができ、光源の強度を弱くすることで、低消費電力を実現するマルチ画面表示装置における画像調整方法を提供することができる。
【実施例２】
【００３２】
本実施例は、第１の実施例に対して、各画面画像のAPLを画像表示装置１００で行う場合のマルチ画面表示装置における画像調整方法である。なお、本実施例における、マルチ画面表示装置における概略構成を示す図は図１と同じであるので、説明は省略する。以下、図１と図３及び図５を用いて本実施例における画像表示装置の構成及び処理手順について説明する。
【００３３】
図３は本実施例におけるマルチ画面表示装置１００のブロック図であり、ほとんどのブロックは第１の実施例と同じであるため、第１の実施例と異なる部分についてのみ説明する。第１の実施例で示した図２に対して、図３では、受信したデータを解析し画像データとAPLデータを分離するデータ解析部２０２はなく、受信した画像データについてAPLを計算するAPL計算部３０２を設ける。データ受信部２０１では画像データのみ受信し、画像処理部２０３でスケーリングを行った後、画像のAPLをAPL計算部３０２で計算する。
【００３４】
本実施例における輝度調整を行い画面表示する処理手順の詳細を図５のフロー図を用いて説明する。
【００３５】
図５は本実施例における輝度調整を行い画面表示する処理手順を示すフロー図である。
【００３６】
まず、前記データ受信部２０１にてネットワークを介して外部機器から画像データを受信する（ステップＳ５０１）。ステップＳ５０１で受信した画像データを前記画像処理部２０３で１／４にスケーリングする（ステップＳ５０２）。その後、APL計算部３０２でスケーリングした画像データのAPLを計算する（ステップＳ５０３）。前記APLデータ保存部２０５にて該APLデータがどのPC画面の画像データに対するAPLなのかが分かるように、送信元のIPアドレスと合わせて該APLデータを保存する（ステップＳ５０４）。その後、前記画像処理部２０３で、どのPCからの画像データなのかを送信元のIPアドレスから判断し、ステップＳ５０２でスケーリングした画像データを予め設定された場所に画面配置する（ステップＳ５０５）。その後、前記画像データ保存部２０４で画像データを保存する（ステップＳ５０６）。ステップＳ５０４で保存した各APLを前記APL比較部２０６にて比較し、最小のAPLを算出する（ステップＳ５０７）。その後、ステップＳ５０７で比較算出した最小のAPLに合わせて輝度（発光強度）を前記輝度調整部２０７にて行う（ステップＳ５０８）。また、前記画像処理部２０３にて前記画像データ保存部２０４に保存された各PC画面の画像データを合成する（ステップＳ５０９）。そして最後に、ステップＳ５０９で合成した画面画像を、ステップＳ５０８で調整された輝度で、前記画面表示部２０８から画面表示し（ステップＳ５１０）、一連の処理を終了する。なお、本実施例では、ステップＳ５０１からステップＳ５１０までシーケンシャルに処理を行ったが、ステップＳ５０２の後は、APLに関する処理と画像データに関する処理に分けて並行して処理を行っても良い。
【００３７】
なお、何らかの原因で画像データが受信できなかった場合、画像データの再送を要求しても良いし、前記APLデータ保存部２０５に前回受信したAPLデータが残っている場合は、該APLデータを利用しても良い。これにより、画像データが受信できずAPLが算出できなかった場合でも、処理を行うことができる。なお、この場合は、前回受信した画像を表示することになる。
【００３８】
上記処理により、複数画面の各APLによって画面全体の輝度（発光強度）調整を行うことで、画面全体の明るさを抑えることができ、低消費電力を実現するマルチ画面表示装置における画像調整方法を提供することができる。また、PC側では画像データを送れば良いだけなので、PC側に特別な処理を追加する必要がなくなる。
【実施例３】
【００３９】
本実施例は、第１の実施例に対して、各画面画像のAPLに対して重み付き平均値を計算して該平均値にて輝度（発光強度）調整を行う場合のマルチ画面表示装置における画像調整方法である。なお、本実施例における、マルチ画面表示装置における概略構成を示す図は図１と同じであり、本実施例におけるマルチ画面表示を行う画像表示装置１００のブロック図は図２と同じであるので、説明は省略する。以下、図７を用いて本実施例における画像表示装置の処理手順について説明する。
【００４０】
本実施例における輝度（発光強度）調整を行い画面表示する処理手順の詳細を図７のフロー図を用いて説明する。
【００４１】
図７は本実施例における輝度調整を行い画面表示する処理手順を示すフロー図である。ほとんどの処理ステップは第１の実施例における図４と同じであるため、第１の実施例と異なる部分についてのみ説明する。第１の実施例で示した図４に対して、図７では、各画面のAPLを保存（ステップＳ４０８）した後、各APLデータを比較しソートする（ステップＳ７０１）。その後、APLの値が低いものから順番に重みを付けて平均値を計算する（ステップＳ７０２）。重み付けは例えばAPLの値が低いものから1倍、0.9倍、0.8倍、0.7倍とする。実施例１での各APLの値を例にすると、PC画面１０５からPC画面１０８におけるAPLの値がそれぞれ２０、５０、１０、３０であるので、重み付き平均値は（10×1.0＋20×0.9＋30×0.8＋50×0.7）/4 = 21.75となる。この値を元に、輝度（発光強度）調整を行い（ステップＳ４１０）、実施例１の図４と同様の処理を行っていく。なお、各APLの重み付き平均値から発光強度の調整を行う方法としては、一例として、APLの値100が最高発光強度とし、その相対値から強度調整を行う。なお、ステップＳ７０２で計算した重み付き平均値は、単純に各APLの値を加重平均した場合より、値が小さくなるので、より発光強度を下げることができる。
【００４２】
上記処理により、複数画面の各APLの重み付き平均値によって画面全体の輝度（発光強度）調整を行うことで、画面全体の明るさを抑えることができ、光源の強度を弱くすることで、低消費電力を実現するマルチ画面表示装置における画像調整方法を提供することができる。
【実施例４】
【００４３】
本実施例は、第１の実施例に対して、前回に画面表示した輝度との差が一定値（閾値）以上の場合、段階的に輝度（発光強度）調整を行うことで、急激な輝度変化を避ける場合のマルチ画面表示装置における画像調整方法である。なお、本実施例における、マルチ画面表示装置における概略構成を示す図は図１と同じであり、本実施例におけるマルチ画面表示を行う画像表示装置１００のブロック図は図２と同じであるので、説明は省略する。以下、図８を用いて本実施例における画像表示装置の処理手順について説明する。
【００４４】
本実施例における輝度（発光強度）調整を行い画面表示する処理手順の詳細を図８のフロー図を用いて説明する。
【００４５】
図８は本実施例における輝度調整を行い画面表示する処理手順を示すフロー図である。ほとんどの処理ステップは第１の実施例における図４と同じであるため、第１の実施例と異なる部分についてのみ説明する。第１の実施例で示した図４に対して、図８では、各画面のAPLを比較（ステップＳ４０９）した後、比較した結果を元に前記輝度調整部２０７にて輝度計算を行う（ステップＳ８０１）。なお、輝度計算の方法は実施例１の場合と同じように最小のAPLより算出しても良いし、実施例２の場合と同じように各APLの重み付き平均値より算出しても良い。その後、ステップＳ８０１で計算した輝度を記憶する（ステップＳ８０２）。記憶は前記輝度調整部２０７がRAMなどの揮発性メモリに記憶するものでも良い。その後記憶してある前回表示した輝度と、ステップＳ８０１で計算した輝度の差が一定値（閾値Th）以上であるか判断する（ステップＳ８０３）。閾値Th以上である場合、前回表示した輝度から一定値（α）分だけ減算した値を元に輝度（発光強度）調整を行う（ステップＳ８０４）。一定値αの値は、閾値Th以下の値であれば良いが、できるだけ細かい値の方が段階的に発光強度を下げることができるため、急激な輝度変化がなく、見た目にも変化が気づきにくくてよい。ステップＳ８０４で調整した輝度（発光強度）で図４と同様に画面表示を行う（ステップＳ４１１）。ステップＳ８０３で閾値Thより小さい場合、図４と同様の輝度（発光強度）調整を行い（ステップＳ４１０）、画面表示を行う（ステップＳ４１１）。ステップＳ４１１の後、調整した輝度がステップＳ８０１で計算した輝度に到達しているか判断し（ステップＳ８０５）、到達していない場合は、ステップＳ８０４に戻って処理を繰り返す。ステップＳ８０５で、計算した輝度に到達している場合は、一連の処理を終了する。
【００４６】
上記処理により、前回に画面表示した輝度との差が一定値（閾値）以上の場合、段階的に輝度（発光強度）調整を行うことで、極端に異なるAPLを受信した場合でも急激な輝度変化を避けることができるマルチ画面表示装置における画像調整方法を提供することができる。
【符号の説明】
【００４７】
２０１…データ受信部
２０２…データ解析部
２０３…画像処理部
２０４…画像データ保存部
２０５…APLデータ保存部
２０６…APL比較部
２０７…輝度調整部
２０８…画面表示部
【図１】
2012177722.tif 000003
【図２】
2012177722.tif 000004
【図３】
2012177722.tif 000005
【図４】
2012177722.tif 000006
【図５】
2012177722.tif 000007
【図６】
2012177722.tif 000008
【図７】
2012177722.tif 000009
【図８】
2012177722.tif 000010